(57)【要約】      （修正有）【課題】面ファスナーを使用しなくても容易に取り付けることが可能なプラグ保持具を提供する。【解決手段】プラグ５１の根元５１ａに掛け止めさせるための切欠きを中央に形成したプラグ保持板１０と、ソケット４１の両側に螺着されるネジ部材３０と、プラグ保持板１０とネジ部材３０との固定するためのケーブルタイ２０とを備え、プラグ保持板１０の両側には、ケーブルタイ２０を通すための挿通部１２が設けられ、ネジ部材３０の頭部には、ケーブルタイ２０を通すための挿通孔３１ａが設けられている。【選択図】図１０
0003174012.tif 000002
【実用新案登録請求の範囲】
【請求項１】
機器類のソケットからプラグが抜け落ちることを防止するためのプラグ保持具であって、
前記プラグの根元に掛け止めさせるための切欠きを中央に形成したプラグ保持板と、
前記ソケットの両側に螺着されるネジ部材と、
前記プラグ保持板と前記ネジ部材との固定するためのケーブルタイと、
を備え、
前記プラグ保持板の両側には、前記ケーブルタイを通すための挿通部が設けられ、
前記ネジ部材の頭部には、前記ケーブルタイを通すための挿通孔が設けられていることを特徴とする、プラグ保持具。
【請求項２】
前記ネジ部材は、前記ソケットを機器類に固定するためのネジ孔を利用して螺着されることを特徴とする、請求項１記載のプラグ保持具。
【請求項３】
前記ケーブルタイは、前記切欠きの開口部分を塞ぐように取り付けられることを特徴とする、請求項１又は２記載のプラグ保持具。
【考案の詳細な説明】
【技術分野】
【０００１】
この考案は、機器のソケットに差し込んだプラグが簡単に抜けないようにするプラグ保持具に関するものである。
【背景技術】
【０００２】
本出願人は、接続したプラグが誤って抜けてしまう問題の対策として、例えば特許文献１記載のプラグ抜け防止装置や特許文献２記載のプラグ固定装置を提案した。
【０００３】
特許文献１記載のプラグ抜け防止装置は、プラグの背面に係合させる方形状の係合板と、該係合板を機器に固定する固定部材とで構成され、上記係合板にはプラグの基部を導入する開口部と、上記プラグのケーブルを開口部に案内するためのスリットとを連設するとともに、上記係合板の４つの隅それぞれ円形状の係合孔を配置し、固定部材を面ファスナーで構成するとともに、機器の壁面に取り付ける方形状の取付体と、該取付体の一辺の両端近傍から延出させ、上記係合孔に挿通させる平紐状の係合体で形成し、上記取付体の裏面には該取付体を機器の壁面に固定する接着部材を設けたものである。
【０００４】
また、特許文献２記載のプラグ固定装置は、電気機器の筐体に固定する固定手段を備えた２枚の固定プレートと、インレットに差し込むプラグに係合させる係合部材とから構成され、上記係合部材は、ケーブルを通す開口部が形成された係合板と、該係合板の両端部にそれぞれ取り付けた帯状の面ファスナーとで構成し、上記固定プレートは、先端に上記面ファスナーを通す挿通穴が形成され、上記面ファスナーは終端側を上記固定プレートの挿通穴を挿通させて折り返し、折り返した面ファスナーを始端側の面ファスナーに結合させたものである。
【先行技術文献】
【特許文献】
【０００５】
【特許文献１】実用新案登録第３１６２４９６号公報
【特許文献２】特許第４６０３５２４号公報
【考案の概要】
【考案が解決しようとする課題】
【０００６】
しかしながら、上記した特許文献１及び２記載のプラグ抜け防止装置は、面ファスナーを使用して係合板を固定するものであったため、油や薬品に触れる可能性のある環境で使用した場合、油や薬品によって面ファスナーの接着力が低下してしまう可能性があった。
【０００７】
例えば、工場などで使用する機械は油で汚れることがあるが、このような機械に特許文献１及び２記載のプラグ抜け防止装置を使用した場合、油で面ファスナーの接着力が低下し、プラグ抜け防止の機能が低下してしまうといった不都合があった。
【０００８】
そこで、本考案は、面ファスナーを使用せずに容易に取り付けることが可能なプラグ保持具を提供することを課題とする。
【課題を解決するための手段】
【０００９】
本考案は、上記した課題を解決するためになされたものであり、以下を特徴とする。
【００１０】
（請求項１）
請求項１に記載の考案は、以下の点を特徴とする。
【００１１】
すなわち、請求項１に記載のプラグ保持具は、機器類のソケットからプラグが抜け落ちることを防止するためのプラグ保持具であって、前記プラグの根元に掛け止めさせるための切欠きを中央に形成したプラグ保持板と、前記ソケットの両側に螺着されるネジ部材と、前記プラグ保持板と前記ネジ部材との固定するための紐状のケーブルタイと、を備え、前記プラグ保持板の両側には、前記ケーブルタイを通すための挿通部が設けられ、前記ネジ部材の頭部には、前記ケーブルタイを通すための挿通孔が設けられていることを特徴とする。
【００１２】
（請求項２）
請求項２に記載の考案は、上記した請求項１記載の考案の特徴点に加え、以下の点を特徴とする。
【００１３】
すなわち、前記ネジ部材は、前記ソケットを機器類に固定するためのネジ孔を利用して螺着されることを特徴とする。
【００１４】
（請求項３）
請求項３に記載の考案は、上記した請求項１又は２記載の考案の特徴点に加え、以下の点を特徴とする。
【００１５】
すなわち、前記ケーブルタイは、前記切欠きの開口部分を塞ぐように取り付けられることを特徴とする。
【考案の効果】
【００１６】
請求項１に記載の考案は上記の通りであり、プラグの根元に掛け止めさせるための切欠きを中央に形成したプラグ保持板と、ソケットの両側に螺着されるネジ部材と、を備え、プラグ保持板の両側には、ケーブルタイを通すための挿通部が設けられ、ネジ部材の頭部には、ケーブルタイを通すための挿通孔が設けられている。このため、ケーブルタイをプラグ保持板の挿通部とネジ部材の挿通孔とを通して結束することで、プラグ保持板とネジ部材とを固定してプラグを保持することができる。
【００１７】
また、請求項２に記載の考案は上記の通りであり、前記ネジ部材は、ソケットを機器類に固定するためのネジ孔を利用して螺着されるため、機器類に孔を設けるなどの加工をしなくてもネジ部材を機器類に取り付けることができる。
【００１８】
また、請求項３に記載の考案は上記の通りであり、前記ケーブルタイは、前記切欠きの開口部分を塞ぐように取り付けられるので、プラグ保持板からプラグが外れてしまうことを防止でき、より確実にプラグの抜け落ちを防止することができる。
【図面の簡単な説明】
【００１９】
【図１】プラグ保持板の平面図である。
【図２】ネジ部材の（ａ）平面図、（ｂ）正面図、（ｃ）側面図である。
【図３】機器にソケット及びネジ部材を取り付ける過程を示す図である。
【図４】機器にソケット及びネジ部材を取り付けた状態を示す図である。
【図５】ソケットにプラグを差し込んだ状態を示す図である。
【図６】プラグにプラグ保持板を取り付ける過程を示す図である。
【図７】プラグにプラグ保持板を取り付けた状態を示す図である。
【図８】ケーブルタイを２つ使用してプラグ保持板とネジ部材とを結束した状態を示す図である。
【図９】ケーブルタイを１つ使用してプラグ保持板とネジ部材とを結束する過程を示す図である。
【図１０】ケーブルタイを１つ使用してプラグ保持板とネジ部材とを結束した状態を示す図である。
【図１１】別の形態に係るネジ部材の（ａ）平面図、（ｂ）正面図、（ｃ）側面図である。
【図１２】機器に別の形態に係るネジ部材を取り付ける過程を示す図である。
【図１３】機器に別の形態に係るネジ部材を取り付けた状態を示す図である。
【考案を実施するための形態】
【００２０】
本考案の実施形態について、図を参照しながら説明する。
【００２１】
本実施形態に係るプラグ保持具は、機器４０のソケット４１からプラグ５１が抜け落ちることを防止するために使用されるものであって、プラグ５１の根元５１ａに掛け止めされるプラグ保持板１０と、ソケット４１の両側に螺着されるネジ部材３０と、プラグ保持板１０とネジ部材３０との固定するためのケーブルタイ２０と、を備えている。
【００２２】
プラグ保持板１０は、図１に示すように、略方形状に形成された板部材である。プラグ保持板１０の材質は、樹脂、木板、金属板など、プラグ５１をしっかりと保持できる程度の硬度をもったものであればよい。このプラグ保持板１０の中央には、プラグ５１の根元５１ａに掛け止めさせるための切欠き１１が形成されている。この切欠き１１は、幅狭に形成された開口部分１１ａが外部に臨んでおり、この開口部分１１ａからプラグケーブル５０を切欠き１１の内側に通すことができる。また、このプラグ保持板１０の両側には、ケーブルタイ２０を通すための挿通部１２が設けられている。
【００２３】
ネジ部材３０は、図２に示すように、頭部３１にケーブルタイ２０を通すための挿通孔３１ａが設けられたネジである。頭部３１の天頂部にはドライバー等を差し込んでネジ締めを行うための溝３１ｂが形成されている。また、頭部３１と軸部３２との間には、首下テーパ部３３が設けられている。
【００２４】
ケーブルタイ２０は、市販の結束具であり、一端側の紐状の帯部２１の先端２１ａを他端側の頭部２２に差し込むことで、輪状になって結束を行うことができるものである。ケーブルタイ２０は、帯部２１の先端２１ａを頭部２２に差し込むとラッチが係合し、結束が解けないように形成されている。
【００２５】
このプラグ保持具を使用してプラグ５１を保持する際には、まず図３に示すように、機器４０にネジ部材３０を取り付ける。このとき、ソケット４１を機器４０に固定するためのネジ孔を利用してネジ部材３０を螺着する。
【００２６】
詳しくは、ソケット４１が取付ネジによって機器４０に固定されている場合、まずこの取付ネジを外す。取付ネジを外すと、ソケット４１の取付孔４１ａと機器４０のソケット配設面４０ａに設けられたネジ孔とが連通するように開口しているので、このソケット４１の取付孔４１ａと機器４０のネジ孔とを貫通するようにネジ部材３０を差し込む。
【００２７】
このとき、ソケット４１の取付孔４１ａの開口付近の内周はテーパとなっているものが多いが、本実施形態のネジ部材３０には首下テーパ部３３が設けられているため、取付孔４１ａ内周のテーパにネジ部材３０の首下テーパ部３３が接触することで、ネジ部材３０が安定してソケット４１の取付孔４１ａに取り付けられるように形成されている。
【００２８】
ソケット４１の取付孔４１ａと機器４０のネジ孔とを貫通するようにネジ部材３０を差し込んだら、裏側からナット３５と螺着させて固定する。これにより、図４に示すように、ネジ部材３０の取り付けが完了する。
【００２９】
ネジ部材３０の取り付けが完了したら、図５に示すように、プラグ５１をソケット４１のプラグ差込口４１ｂに差し込む。
【００３０】
プラグ５１を差し込んだら、図６及び図７に示すように、プラグ保持板１０の切欠き１１をプラグ５１の根元５１ａに掛け止めする。
【００３１】
プラグ保持板１０をプラグ５１の根元５１ａに掛け止めしたら、図８に示すように、ケーブルタイ２０をプラグ保持板１０の挿通部１２とネジ部材３０の挿通孔３１ａとに連続するように挿通させて結束し、プラグ保持板１０とネジ部材３０とを固定する。
【００３２】
なお、図８はケーブルタイ２０を２つ使用してプラグ保持板１０とネジ部材３０とを結束した例であるが、これに限らず、ケーブルタイ２０を１つだけ使用してプラグ保持板１０とネジ部材３０とを結束してもよい。
【００３３】
例えば、図９及び図１０に示すように、１本のケーブルタイ２０をプラグ保持板１０の２つの挿通部１２とネジ部材３０の２つの挿通孔３１ａとにすべて挿通させて結束してもよい。詳しくは、まずケーブルタイ２０をネジ部材３０の２つの挿通孔３１ａに挿通させ、ケーブルタイ２０を折り返す。このとき、プラグ保持板１０の切欠き１１の開口部分１１ａを塞ぐようにケーブルタイ２０をプラグ保持板１０に引っ掛ける。その後、ケーブルタイ２０をプラグ保持板１０の２つの挿通部１２に挿通させ、ケーブルタイ２０の先端２１ａを頭部２２に差し込んで結束する。
【００３４】
このとき、ケーブルタイ２０は、図１０に示すように、プラグケーブル５０を両側から挟み込むように折り返して固定されており、プラグ保持板１０の切欠き１１の開口部分１１ａを塞ぐように取り付けられている。このため、プラグ保持板１０からプラグケーブル５０が外れてしまうことを防止でき、より確実にプラグ５１の抜け落ちを防止することができる。
【００３５】
以上説明したように、本実施形態によれば、プラグ５１の根元５１ａに掛け止めさせるための切欠き１１を中央に形成したプラグ保持板１０と、ソケット４１の両側に螺着されるネジ部材３０と、を備え、プラグ保持板１０の両側には、ケーブルタイ２０を通すための挿通部１２が設けられ、ネジ部材３０の頭部３１には、ケーブルタイ２０を通すための挿通孔３１ａが設けられている。このため、ケーブルタイ２０をプラグ保持板１０の挿通部１２とネジ部材３０の挿通孔３１ａとを通して結束することで、プラグ保持板１０とネジ部材３０とを固定してプラグ５１を保持することができる。
【００３６】
また、ソケット４１を機器４０に固定するためのネジ孔を利用してネジ部材３０を螺着しているので、機器４０に孔を設けるなどの加工をしなくてもネジ部材３０を機器４０に取り付けることができる。
【００３７】
なお、上記した実施形態においては、ソケット４１を機器４０に固定するためのネジ孔を利用してネジ部材３０を螺着したが、本発明の実施形態はこれに限らない。
【００３８】
例えば、ソケット４１を機器４０に固定するためのネジ孔がない場合などは、図１２及び図１３に示すように、機器４０のソケット配設面４０ａに取付孔４０ｂを穿設し、この取付孔４０ｂを使用してネジ部材３０を取り付けてもよい。
【００３９】
図１１は、機器４０のソケット配設面４０ａに穿設された取付孔４０ｂに螺着するためのネジ部材３０である。このネジ部材３０には首下テーパ部３３が設けられていないため、平面に取り付けた場合でも安定するように形成されている。
【符号の説明】
【００４０】
１０  プラグ保持板
１１  切欠き
１１ａ  開口部分
１２  挿通部
２０  ケーブルタイ
２１  帯部
２１ａ  先端
２２  頭部
３０  ネジ部材
３１  頭部
３１ａ  挿通孔
３１ｂ  溝
３２  軸部
３３  首下テーパ部
３５  ナット
４０  機器
４０ａ  ソケット配設面
４０ｂ  取付孔
４１  ソケット
４１ａ  取付孔
４１ｂ  プラグ差込口
５０  プラグケーブル
５１  プラグ
５１ａ  根元
【図１】
0003174012.tif 000003
【図２】
0003174012.tif 000004
【図３】
0003174012.tif 000005
【図４】
0003174012.tif 000006
【図５】
0003174012.tif 000007
【図６】
0003174012.tif 000008
【図７】
0003174012.tif 000009
【図８】
0003174012.tif 000010
【図９】
0003174012.tif 000011
【図１０】
0003174012.tif 000012
【図１１】
0003174012.tif 000013
【図１２】
0003174012.tif 000014
【図１３】
0003174012.tif 000015